(57)【要約】【課題】効率良く抗菌・消臭して空気の清浄化を図ると共に、電力供給が遮断されても、持続して抗菌・消臭する。【解決手段】ケース１内を隔壁２にて区画した一方の収納室４に収納した抗菌・消臭剤３より生ずる抗菌・消臭成分を外部に自然放出し、且つ空気を内部に導入する流通口１１を設け、他方の収納室６に収納したマイナスイオン発生器５より生ずるマイナスイオンと抗菌・消臭成分を強制的に送風し、マイナスイオン発生器５の正電極１５を構成する送風口１０を設け、隔壁２に開設した連通口１２には抗菌・消臭成分を含んだ空気を一方の収納室４から他方の収納室６へ流通させる送風機１３を設けることにより、電力供給時には送風器１３とマイナスイオン発生器５の作動でマイナスイオンと抗菌・消臭成分を外部に放出し、電力供給遮断時には、抗菌・消臭剤成分を流通口１１から自然放出する。【選択図】        図２
2005027760.tif 000002
【特許請求の範囲】
【請求項１】
ケース内を隔壁にて区画した一方の収納室に収納した抗菌・消臭剤より生ずる抗菌・消臭成分を外部に自然放出し、且つ空気を内部に導入する流通口を設け、他方の収納室に収納したマイナスイオン発生器より生ずるマイナスイオンと抗菌・消臭成分を強制的に送風し、マイナスイオン発生器の正電極を構成する送風口を設け、隔壁に開設した連通口には抗菌・消臭成分を含んだ空気を一方の収納室から他方の収納室へ流通させる送風機を設けたことを特徴とする空気清浄装置。
【請求項２】
マイナスイオン発生器は、針状の負電極と、正電極に１０８  〜１０１２Ωの電気抵抗値を有する導電性高分子材を用いたことを特徴とする請求項１記載の空気清浄装置。
【請求項３】
正電極はマイナスイオンの送風口を有する電極板と成すと共に、該電極板をケースに一体形成したことを特徴とする請求項２記載の空気清浄装置。
【発明の詳細な説明】
【０００１】
【発明の属する技術分野】
本発明は、マイナスイオン発生器を利用した空気清浄装置に関する。
【０００２】
【従来の技術】
従来、この種の空気清浄装置としては、ファンを内蔵すると共に、前面に吹出口を設けたハウジング内に、エアーフィルタ、マイナスイオン発生器、及び樹木から抽出した揮発性植物精油を投入した容器を設置したものが、特許文献１に開示されている。
この装置は、電力供給により、マイナスイオン発生器と送風機を作動させ、発生したマイナスイオンと植物精油の揮発成分とを含んだ空気を吹き出し、前記マイナスイオンと揮発成分の作用により室内や自動車内等の臭いやタバコ臭等を抗菌・消臭して空気を清浄化している。
【０００３】
【特許文献１】
特開平８−８６４８１号公報
【０００４】
【発明が解決しようとする課題】
しかしながら、上記の様な装置では、その装置へ電力を供給することにより、所望時間だけマイナスイオン及び植物精油の揮発成分を空気中に送り出すだけであり、電力供給を遮断している間は、当然ながら、マイナスイオンの発生はもとより植物精油の揮発成分の送風もできないので、空気を良好に清浄化できるとはいえなかった。
そこで、本発明は、効率良く抗菌・消臭して空気の清浄化を図ると共に、電力供給が遮断されても、持続して抗菌・消臭する空気清浄装置を提供することを目的とする。
【０００５】
【課題を解決するための手段】
本発明は、上記課題に鑑み、ケース内を隔壁にて区画した一方の収納室に収納した抗菌・消臭剤より生ずる抗菌・消臭成分を外部に自然放出し、且つ空気を内部に導入する流通口を設け、他方の収納室に収納したマイナスイオン発生器より生ずるマイナスイオンと抗菌・消臭成分を強制的に送風し、マイナスイオン発生器の正電極を構成する送風口を設け、隔壁に開設した連通口には抗菌・消臭成分を含んだ空気を一方の収納室から他方の収納室へ流通させる送風機を設け、電力供給時には送風器とマイナスイオン発生器の作動により、抗菌・消臭剤からの揮発成分をその収納室から強制的にマイナスイオン発生器の収納室へ送出し、マイナスイオンと共に、抗菌・消臭剤の揮発成分を送風口から空気中に放出し、マイナスイオンと抗菌・消臭剤とによる抗菌・消臭効果にて効率的に空気を清浄化し、又電力供給が遮断されても、抗菌・消臭剤からの揮発成分を流通口から外部へ自然放出することにより、抗菌・消臭機能を持続させる様にして、上記課題を解決する。
又、マイナスイオン発生器に、針状の負電極と、正電極に１０８  〜１０１２Ωの電気抵抗値を有する導電性高分子材を用いることにより、空気への電離を抑制し、オゾンや窒素酸化物等の有害ガスを発生させず、多量のマイナスイオンのみを取り出し、安全にしてより一層効率的な空気の清浄化を図る。
【０００６】
【発明の実施の形態】
以下本発明の一実施例を図面に基づいて説明する。
図１、２に示す空気清浄装置は、ケース１内を隔壁２にて抗菌・消臭剤３を収納した収納室４と、マイナスイオン発生器５を収納した収納室６に区画形成している。
ケース１は、樹脂製より成り、抗菌・消臭剤３とマイナスイオン発生器５の夫々を載置する横長な基板７と、抗菌・消臭剤３を囲繞してその収納室４を形成する着脱カバー８と、マイナスイオン発生器５を囲繞してその収納室６を形成する固定カバー９とから成り、該固定カバー９における一側壁を隔壁２と成している。
固定カバー９において、隔壁２と対峙する側壁には、マイナスイオンと抗菌・消臭成分を強制的に送風する小円状の送風口１０を開設し、着脱カバー８の上面には、抗菌・消臭剤３の揮発成分を外部へ自然放出し、且つ空気を内部に導入するするスリット状の流通口１１を開設している。
隔壁２下方には連通口１２を開設し、該連通口１２のマイナスイオン発生器５側に、抗菌・消臭成分を含んだ空気を一方の収納室４から他方の収納室３へ流通させる送風機１３を設けている。
【０００７】
マイナスイオン発生器５は、針状の負電極１４と、該負電極１４の先端と間隔を隔てて配置された正電極１５と、正負両電極１４、１５の間に負の高電圧を付与する負高電圧電源１６とから主に構成されている。
負電極１４は、ステンレス製等により形成され、その先端を正電極１５に指向する様にして、基板７上方に水平配置したベースに立設した支柱１７上端に固定されている。
正電極１５は、電気抵抗値が１０８  〜１０１２Ωに設定された導電性高分子材からなる正電極板であり、固定カバー９において少なくとも負電極１４に対向する部位に一体形成し、複数の送風口１０を貫通形成している。
【０００８】
導電性高分子材は、導電性を有するカーボン等から成る微粒子やフィラーを分散させて導電性がない樹脂に導電性を付与している。
微粒子やフィラーとして用いられる材料としては、たとえば、アルミニウム、銀、グラファイト等が挙げられる。
導電性高分子材において、微粒子やフィラーが分散される樹脂は、特に限定されるものではない。即ち、微粒子やフィラーを分散させることができる樹脂であれば、熱可塑性樹脂、熱硬化性樹脂など、限定されない。この樹脂としては、例えば、ポリプロピレン、アクリル樹脂、塩化ビニル樹脂等の樹脂が挙げられる。
そして、導電性を有する微粒子やフィラーの分散量を調整することで、所望の導電性が得られる。
【０００９】
正電極１５は１０８  〜１０１２Ωの抵抗値が好ましく、最適にはその電気抵抗値を１０１１Ωとすることにより、効率良くマイナスイオンを多量に取り出すことができる。
【００１０】
負高電圧電源１６は、負電極１４と正電極１５との間に高電圧を付与し、負電極１４と正電極１５との間にコロナ放電を生じさせる電源装置である。
負高電圧電源１６と送風機１３は、図示しない外部電源を収納室４の外面に露出した電源ジャック（図示せず）にＤＣコネクタ１８を介して接続することで、電力供給される。
又、負高電圧電源１６と送風機１３は、外部電源から供給される電力を制御する電源スイッチ１９と、電力が供給されたときに点灯し、供給が遮断されると消灯する発光ダイオードから成る電源確認表示ランプ２０に接続され、電源スイッチ１９と電源確認表示ランプ２０とを、固定カバー９上面に設けている。
【００１１】
抗菌・消臭剤３は、上方が開口した容器に充填され、この容器を収納室４における基板７上に設けた方形枠２１内に収納保持し、抗菌・消臭剤３の揮発成分が放出される容器開口部を着脱カバー８に設けた流通口１１に間隔を隔てて対応させており、着脱カバー８を取り外して抗菌・消臭剤３を交換できる様に成している。
【００１２】
本実施例において、マイナスイオン発生器５は、針状の負電極１４と、１０８  〜１０１２Ωの電気抵抗値を有する導電性高分子材よりなる正電極１５とを有するものを示したが、これに限定されることなく、従来のマイナスイオン発生器を用いても良い。
【００１３】
次に空気清浄装置の作動について説明する。
電源スイッチ１９をＯＮにすることで、外部電源から送風機１３及び負高電圧電源１６に電力が供給されると共に、電源確認表示ランプ２０が点灯する。
そして、送風機１３の作動により、一方の収納室４から連通口１２を通して他方の収納室６への気流を生じさせ、この気流に抗菌・消臭剤３からの揮発成分がのって強制的に収納室６へ導かれる。
一方、電力が供給された負高電圧電源１６は、負電極１４と正電極１５との間に高電圧を付与して、負電極１４と正電極１５との間にコロナ放電を発生させ、収納室６内にマイナスイオンを生じさせる。
このマイナスイオンは送風機１３による気流によって、抗菌・消臭剤３の揮発成分と共に送風口１０から外部へ吹き出される。
尚、送風機１３の作動時においても、抗菌・消臭剤３の揮発成分の一部は、流通口１１からも自然流出している。
そして、電源スイッチ１９をＯＦＦにすると、送風機１３及び負高電圧電源１６への電力供給が遮断され、送風機１３及び負高電圧電源１６は稼働停止すると共に、電源確認表示ランプ２０が消灯する。
これにより、送風機１３による上記気流が消失し、隔壁２の存在と抗菌・消臭剤３の容器開口部が流通口１１に対応していることから、抗菌・消臭剤３からの揮発成分は流通口１１のみから自然流出される。
【００１４】
【発明の効果】
要するに本発明は、ケース１内を隔壁２にて区画した一方の収納室４に収納した抗菌・消臭剤３より生ずる抗菌・消臭成分を外部に自然放出し、且つ空気を内部に導入する流通口１１を設け、他方の収納室６に収納したマイナスイオン発生器５より生ずるマイナスイオンと抗菌・消臭成分を強制的に送風し、マイナスイオン発生器５の正電極１５を構成する送風口１０を設け、隔壁２に開設した連通口１２には抗菌・消臭成分を含んだ空気を一方の収納室４から他方の収納室６へ流通させる送風機１３を設けたので、マイナスイオン発生器５と送風機１３の作動時には、マイナスイオンと共に抗菌・消臭剤３の揮発成分を強制的に室内や車内空間の広範囲に渡って送風でき、マイナスイオンの一機能である抗菌・消臭作用に抗菌・消臭剤３による抗菌・消臭作用が相俟って迅速にして効率良く空気を清浄化できる。
同時に、マイナスイオンの他の機能とされるストレスの緩和や疲労の早期回復などの効果も発揮でき、快適で健康的な室内環境を創り出すことができる。
又、マイナスイオンと送風機の作動を停止してもなお、抗菌・消臭剤３の揮発成分は、流通口１１より常に自然流出するため、抗菌・消臭機能を持続させられ、常に室内の空気を清浄化できる。
【００１５】
マイナスイオン発生器５は、針状の負電極１４と、正電極１５に１０８  〜１０１２Ωの電気抵抗値を有する導電性高分子材を用いることで、極めて弱いコロナ放電を前記負電極１４と正電極１５との間に発生させることができる。その結果、空気への電離が抑制されて、オゾンや窒素酸化物等の有害ガスを発生させることなく、マイナスイオンのみを多量に取り出すことができ、より一層空気の清浄化を安全に促進できる。これは、正電極１５の高い抵抗値によってコロナ放電が集中することなく正電極１５面上に広く分散したコロナ放電となるため、広範囲の空気を同時に電離できることによる。
【００１６】
正電極１５はマイナスイオンの送風口１０を有する電極板と成すと共に、該電極板をケース１に一体形成したので、マイナスイオン発生器５に要する部品点数を削減できると共に、組み付けが容易のためコストを低減できる。又、正電極１５が導電性高分子材より成り、帯電を生じないため、正電極１５を触っても感電を生することがなく、ケース１として外周面に露出しても十分な安全性が確保されている等その実用的効果甚だ大である。
【図面の簡単な説明】
【図１】空気清浄装置の平面図である。
【図２】電源スイッチをＯＮした状態の図１のＡーＡ断面図である。
【符号の説明】
１  ケース
２  隔壁
３  抗菌・消臭剤
４  収納室
５  マイナスイオン発生器
６  収納室
１０  送風口
１１  流通口
１２  連通口
１３  送風機
１４  負電極
１５  正電極
【図１】
2005027760.tif 000003
【図２】
2005027760.tif 000004